(57)【要約】【課題】スプールが回転した際にクリック音を発生する発音機構の軸方向長さの短縮化を図ることにより、リール全体のコンパクト化、軽量化が図れる魚釣用リールを提供する。【解決手段】リール本体１に設けたハンドル５の回転操作によって前後動するスプール軸９の先端部にドラグ装置１０によって回転可能に摩擦結合されたスプール３を備え、このスプール３の後部内周に設けた環状凹凸部にスプール軸９の支持部１２に設けた発音体２３を係合させてスプール回転時の発音機構２０を構成する。そして、発音体２３を支持する環状支持部２１の開口部をロータ側に対向配置させ、スプール３が前後往復動時において最後部に位置したときに、ロータ２を取り付け固定するネジ部材８を発音機構２０に対して重合するように位置させる。【選択図】    図１
2005073670.tif 000002
【特許請求の範囲】
【請求項１】
リール本体に設けたハンドルの回転操作によって前後動するスプール軸の先端部にドラグ装置によって回転可能に摩擦結合されたスプールを備え、このスプールの後部内周に設けた環状凹凸部に前記スプール軸の支持部に設けた発音体を係合させてスプール回転時の発音機構を構成し、ロータに設けた釣糸案内部を介して前記スプールに釣糸を巻回可能とした魚釣用リールにおいて、
前記発音体を支持する環状支持部の開口部を前記ロータ側に対向配置させ、前記スプールが前後往復動時において最後部に位置したときに、前記ロータを取り付け固定するネジ部材を前記発音機構に対して重合するように位置させたことを特徴とする魚釣用リール。
【発明の詳細な説明】
【技術分野】
【０００１】
本発明は、釣糸の繰り出しでスプールが回転したときにクリック音を発生するスプールの発音機構を備えた魚釣用リールに関する。
【背景技術】
【０００２】
魚釣用リールには、スピニングリールのように、ハンドル回転に連動して前後動するスプール軸の先端部とスプール軸に回転可能に装着されるスプールとの間に、スプールを回転方向に摩擦結合させるドラグ装置を装着したものが知られている。このドラグ装置は、釣糸巻取り状態において釣糸が繰り出された際、糸切れ等が発生しないようにスプールに所定の制動力を付与するように構成されたものである。
【０００３】
このようなドラグ装置を装着した魚釣用リールには、例えば、特許文献１に開示されているように、スプール回転状況を釣人に報知すべく、クリック音を発生するスプールの発音機構を組み込んだものがある。この特許文献１に開示されているスプールの発音機構は、スプール軸の支持部に装着された発音体を構成する環状バネと、この環状バネの径方向突出部が係合するように、スプール後部の凹陥部内周に連続形成された凹凸部とを備えた構成となっている。
【特許文献１】実公平３−１６４６１号公報
【発明の開示】
【発明が解決しようとする課題】
【０００４】
上記したスピニングリールでは、スプール軸方向において、スプールの後部及び前部の凹陥部にかけて、スプールの発音機構（発音体を構成する環状バネ）、スプール肉厚、複数のドラグワッシャ（ライニング材を含む）、ドラグノブ等の各種部品、及び、スプール前後往復動のクリアランス、スプール位置調整クリアランス等の各種クリアランスが必要とされ、これらが積層されることで、最前方のドラグノブの前方への突出量が多くなる傾向にある。
【０００５】
そして、このようなドラグノブの前方への突出に伴い、ロータアームに反転自在に取り付けられているベールが長くなると共に、リール本体の脚部寸法が長くなってしまい、リール全体が大型化、重量化してしまう。
【０００６】
本発明は、このような問題に着目してなされたものであり、スプールが回転した際にクリック音を発生する発音機構の軸方向長さの短縮化を図ることにより、リール全体のコンパクト化、軽量化が図れる魚釣用リールを提供することを目的とする。
【課題を解決するための手段】
【０００７】
上記した課題を解決するために、本発明に係る魚釣用リールは、リール本体に設けたハンドルの回転操作によって前後動するスプール軸の先端部にドラグ装置によって回転可能に摩擦結合されたスプールを備え、このスプールの後部内周に設けた環状凹凸部に前記スプール軸の支持部に設けた発音体を係合させてスプール回転時の発音機構を構成し、ロータに設けた釣糸案内部を介して前記スプールに釣糸を巻回可能とした構成において、前記発音体を支持する環状支持部の開口部を前記ロータ側に対向配置させ、前記スプールが前後往復動時において最後部に位置したときに、前記ロータを取り付け固定するネジ部材を前記発音機構に対して重合するように位置させたことを特徴とする。
【０００８】
上記した構成によれば、発音体及びそれを支持する環状支持部を有する発音機構と、ロータを取り付け固定するためのネジ部材とは、スプール軸方向に沿って直列状に配置されるのではなく、両者が重合するように配置していることから、その重合した分だけ、ドラグノブまでの軸方向長さが短縮化される。この場合、スプールが前後往復動時において最後部に位置したとき、ネジ部材の先端面が、少なくとも発音機構の一部、例えば、発音体を保持する環状支持部の開口端縁に対して重合するように構成されていれば良く、好ましくは、軸方向において重合する領域がより多くなるように設定しておく。両者が重合する領域を増加させることにより、ドラグノブまでの軸方向長さが可及的に短縮化される。
【発明の効果】
【０００９】
本発明の魚釣用リールによれば、スプールの発音機構の軸方向長さの短縮化が図られることから、スプール軸方向において、ドラグノブまでの軸方向長さが短縮化され、これによってリール全体のコンパクト化、及び軽量化が図れるようになる。
【発明を実施するための最良の形態】
【００１０】
以下、本発明の実施形態について図面を参照しながら説明する。  
図１〜図３は、本発明に係る魚釣用リールの一実施形態を示す図であり、図１は、スプール部分の内部構造を示したスピニングリールを示す図、図２は、図１の主要部を拡大して示す図、そして、図３は、図２のＡ−Ａ線に沿った断面図である。
【００１１】
スピニングリールのリール本体１には、釣竿に装着されるリール脚１ａが一体形成されており、その前方には、回転可能に支持されたロータ２と、ロータ２の回転運動と同期して前後動可能に支持されたスプール３が配設されている。
【００１２】
リール本体１には、回転操作可能なハンドル５が装着されており、このハンドル５を巻取り操作することで、リール本体１の内部に組み込まれている駆動力伝達機構を介して、前記ロータ２が回転駆動されると共に、前記駆動力伝達機構に係合するオシレート機構を介して前記スプール３が前後に往復駆動される。なお、前記ロータ２は、駆動力伝達機構の一部を構成しているピニオンギヤを具備する筒軸７の先端部に、ネジ部材８を介して固定されており、前記スプール３は、筒軸７の内部に挿通されると共に、オシレート機構によって前後往復動されるスプール軸９の先端部に、後述するドラグ装置１０を介して回転可能に支持される。
【００１３】
前記ロータ２には、略１８０°間隔で一対のロータアーム２ａが形成されており、このロータアームの先端には、釣糸をピックアップするベール２ｂが釣糸巻取り位置と釣糸放出位置との間で反転自在に保持されると共に、ベール２ｂの一方の支持部側には、釣糸をスプール３に案内する釣糸案内部（図示せず）が設けられている。
【００１４】
前記スプール３は、釣糸が巻回される釣糸巻回胴部３ａと、円筒状のロータ２の外周面を覆うスカート部３ｂと、巻回される釣糸の前方側を規制するリング部３ｃとを備えており、その内部には、軸方向に所定の肉厚を有する隔壁３ｄを境にして前方凹陥部３ｅと後方凹陥部３ｆが形成されると共に、隔壁３ｄには、後方凹陥部側に向けて延出する円筒部３ｇが一体形成されている。前記スプール軸９の先端部には、支持筒１２が回り止め固定されており、この支持筒１２と円筒部３ｇとの間には軸受１３が介在されて、前記スプール３をスプール軸９に対して回転可能に支持している。
【００１５】
前記スプール３の前方凹陥部３ｅ内には、ドラグ装置１０が配設されており、スプール３が回転した際に所定の制動力が付与できるように構成されている。本実施形態のドラグ装置１０は、スプール３の前端面において露出する堤状のドラグノブ１５と、前記隔壁３ｄに圧接するように支持筒１２に固定、乃至は回転可能に保持されるワッシャ及びライニング材を具備する制動部材１７とを備えており、前記ドラグノブ１５を回転操作することで両者の間に介在される押圧バネ１８を介して所定の摩擦力を制動部材１７に作用させ、スプール３に対して所定の制動力を付与するようになっている。
【００１６】
また、前記スプール３の後方凹陥部３ｆ内には、発音機構２０が配設されており、スプールが回転した際に、その回転をクリック音として釣人に報知するよう構成されている。本実施形態の発音機構２０は、ロータ側に開口し、支持筒１２の基端側のフランジ１２ａに固着される環状支持部２１と、図３に示すように、環状支持部２１の環状壁２１ａの内側に配置される発音体２３と、前記スプール３の後部内周面に円周方向に沿って連続形成される環状凹凸部２５とを備えて構成されている。この場合、前記発音体２３は、弾性を有する部材を略円形状に屈曲することで形成されており、その両側基端部２３ａを前記環状支持部２１の環状壁２１ａに形成された切欠２１ｂに係止させると共に、屈曲突出部２３ｂを環状壁２１ａに形成された切欠２１ｃから突出させて、前記環状凹凸部２５に係合させている。
【００１７】
上記したように構成される発音機構２０は、スプール３が前後往復駆動時において最後部に位置したときに、環状支持部２１と前記ロータ２を取り付け固定するネジ部材８が軸方向に重合するように配置されている。すなわち、本実施形態の構成では、図２に示すように、ネジ部材８の先端面をＰ１とした場合、その先端面Ｐ１が発音機構２０の内、最もロータ側に位置する環状支持部２１の環状壁２１ａの開口端部Ｐ２と重合するようにしている（図２において、Ｌが重合する領域である）。
【００１８】
上記したような構成によれば、発音機構２０と、ロータ２を筒軸７に取り付け固定するためのネジ部材８とを、スプール軸方向に沿って直列状に配置するのではなく、両者が重合するように配置していることから、その重合した分だけ、ドラグノブまでの軸方向長さを短縮化することが可能になる。この結果、ロータアームに反転自在に取り付けられるベール２ｂの短縮化が可能になると共に、リール本体１の脚部寸法も短くすることができ、リール全体のコンパクト化、及び軽量化が可能になる。
【００１９】
以上、本発明の実施形態について説明したが、本発明は、上記した構成に限定されることはなく、種々変形することが可能である。例えば、発音機構の構成については、適宜変形することが可能であり、この場合、スプール３が前後往復動時において最後部に位置したとき、ネジ部材８の先端面Ｐ１が、その発音機構の一部に対して重合するように構成されていれば良い。また、ドラグ装置やスプールの構成についても適宜変形することが可能である。
【図面の簡単な説明】
【００２０】
【図１】本発明に係る魚釣用リールの一実施形態を示す図であり、スプール部分の内部構造を示したスピニングリールを示す図。
【図２】図１に示す魚釣用リールの主要部を拡大して示す図。
【図３】図２のＡ−Ａ線に沿った断面図。
【符号の説明】
【００２１】
１  リール本体
２  ロータ
３  スプール
５  ハンドル
８  ネジ部材
９  スプール軸
１０  ドラグ装置
２０  発音機構
２１  環状支持部
２３  発音体
２５  環状凹凸部
【図１】
2005073670.tif 000003
【図２】
2005073670.tif 000004
【図３】
2005073670.tif 000005